(57)【特許請求の範囲】
【請求項１】
オンオフスイッチを備えて各部に電力を供給する本体電源を設け、多数のシート体が収納されるシート収納部とシート体が手差給送される手差給送口とを有し、前記シート収納部と前記手差給送口とが選択的にシート給送の開始位置となるシート搬送路を有し、このシート搬送路に給送されるシート体を一時停止させるレジスト機構を設け、このレジスト機構に給送されるシート体を検知するレジストセンサを前記手差給送口に挿入されたシート体を検知する位置に配置し、前記シート収納部に収納されたシート体の給送時にはシート体が前記レジストセンサに検知されると所定時間の経過後に前記レジスト機構を動作させるとともに、前記手差給送口に挿入されて前記レジストセンサに検知されたシート体の給送時には給送開始から所定時間の経過後に前記レジスト機構を動作させる給送制御手段を設け、前記本体電源の投入時以外の時には不当なタイミングで前記レジストセンサがシート体を検知するとジャム発生を判定するジャム判定手段を設け、前記本体電源の投入時に前記レジストセンサがシート体を検知すると前記手差給送口に印刷用紙が挿入されていると判定するようにしたことを特徴とするシート給送装置。
【請求項２】
電源投入時にレジストセンサがシート体を検知した場合のジャム判定手段によるジャム発生の判定の有無を切り換えるモード切換手段を設けたことを特徴とする請求項１記載のシート給送装置。
【請求項３】
電源投入時にレジストセンサがシート体を検知しないとシート給送の開始位置としてシート収納部を選択して、検知すると手差給送口を選択する給送切換手段を設けたことを特徴とする請求項１記載のシート給送装置。
【発明の詳細な説明】
【０００１】
【発明の属する技術分野】
本発明は、画像形成装置等でシート体の給送に利用されるシート給送装置に関する。
【０００２】
【従来の技術】
現在、一般的な画像形成装置は、印刷用紙等のシート体を順次給送するシート給送装置を備えている。このようなシート給送装置としても各種形態が実施されており、例えば、シート給送の開始位置として給紙カセット等のシート収納部の他に手差給送口も選択できるものがある。
【０００３】
このようなシート給送装置では、一つのシート搬送路にシート収納部と手差給送口とが連通しており、これらの一方がシート給送の開始位置として選択される。シート搬送路には、シート収納部から順次給送されるシート体を一時停止させるレジスト機構と、このレジスト機構に給送されるシート体を検知するレジストセンサとが設けられている。
【０００４】
このようなシート給送装置では、例えば、シート収納部から画像形成部までシート体を順次給送する場合、レジスト機構によりシート体を一時停止させて給送タイミングを調整する。この時、レジスト機構に給送されるシート体をレジストセンサにより検知し、この検知から所定時間の経過後にレジスト機構による一時停止を解除することにより、シート体を適正なタイミングで画像形成部に給送する。
【０００５】
手差給送口からシート体を手差給送する場合には、所望によりユーザがシート体を手差給送口に挿入すると、このシート体が専用の検知センサにより検知されてシート給送が開始される。このシート体もレジストセンサにより検知されてからレジスト機構により一時停止されるので、この一時停止によりタイミングが調整されてから画像形成部に給送される。
【０００６】
なお、上述のようにレジストセンサはレジスト機構に給送されるシート体を検知するので、このレジストセンサが不当なタイミングでシート体を検知した場合には、ジャム検知回路によりジャム発生が判定される。例えば、レジスト機構がシート体の一時停止を解除してから所定時間の経過後もレジストセンサがシート体を検知し続けるような場合、これはシート体がレジストセンサの位置でジャムを発生していることになるので、ジャム検知回路はジャム発生を判定してランプ点灯やブザー発音を実行する。
【０００７】
上述のようなシート給送装置では、シート収納部と手差給送口の両方からシート体を給送することができるが、手差給送口にシート体が挿入されたことを検知する専用の検知センサが必要となる。これを解決するため、手差給送口に挿入されたシート体を検知できる位置にレジストセンサを配置し、専用の検知センサを不要としたシート給送装置がある。
【０００８】
【発明が解決しようとする課題】
上述したようなシート給送装置は、手差給送口に装填されたシート体をレジストセンサにより検知するので、手差給送口の位置に専用の検知センサを設ける必要がない。
【０００９】
しかし、このようなシート給送装置は、手差給送口にシート体が挿入された状態で起動されると、レジストセンサがシート体を不当なタイミングで検知したことになり、ジャム検知回路がジャム発生を判定してしまう。このため、実際には発生していないジャムが判定されてシート給送装置が動作できなくなり、ユーザに無用なジャム処理を強要することになるという問題がある。
【００１０】
ここで、手差給紙口にシート体が挿入された状態でシート給送装置が起動されるという事態は、容易かつ頻繁に生じうる。例えば、手差給紙口にシート体が挿入された状態で画像形成装置の電源がオフにされ、その後にそのままの状態で電源がオンにされてシート給送装置が起動されることは日常的に発生しうることである。これは、夜間等の画像形成装置の不使用時に、ユーザがその電源をオフにすることは極めて一般的であり、その場合に手差給紙口からシート体が取り去られるとは限らないからである。また、画像形成装置は、安全上の観点から、例えばジャム処理のために装置本体や通紙経路を開放した場合に電源が自動的にオフになるように設定されているのが一般的である。このため、ジャム処理後に手差給紙口にシート体を挿入したまま装置本体や通紙経路の開放を解除して電源が自動的にオンになった場合にも、手差給紙口にシート体が挿入された状態でシート給送装置が起動されるという事態が発生する。
【００１１】
【課題を解決するための手段】
請求項１記載の発明は、オンオフスイッチを備えて各部に電力を供給する本体電源を設け、多数のシート体が収納されるシート収納部とシート体が手差給送される手差給送口とを有し、前記シート収納部と前記手差給送口とが選択的にシート給送の開始位置となるシート搬送路を有し、このシート搬送路に給送されるシート体を一時停止させるレジスト機構を設け、このレジスト機構に給送されるシート体を検知するレジストセンサを前記手差給送口に挿入されたシート体を検知する位置に配置し、前記シート収納部に収納されたシート体の給送時にはシート体が前記レジストセンサに検知されると所定時間の経過後に前記レジスト機構を動作させるとともに、前記手差給送口に挿入されて前記レジストセンサに検知されたシート体の給送時には給送開始から所定時間の経過後に前記レジスト機構を動作させる給送制御手段を設け、前記本体電源の投入時以外の時には不当なタイミングで前記レジストセンサがシート体を検知するとジャム発生を判定するジャム判定手段を設け、前記本体電源の投入時に前記レジストセンサがシート体を検知すると前記手差給送口に印刷用紙が挿入されていると判定するようにした。従って、手差給送口にシート体が挿入された状態でシート給送装置が起動されると、レジストセンサが不当なタイミングでシート体を検知することになるが、この場合はジャム判定手段がジャム発生を判定しないので、手差給送口に挿入されたシート体がジャムを発生したシート体として判定されることがない。
【００１２】
請求項２記載の発明では、請求項１記載の発明において、電源投入時にレジストセンサがシート体を検知した場合のジャム判定手段によるジャム発生の判定の有無を切り換えるモード切換手段を設けた。従って、手差給送口を頻繁に使用するユーザの場合、電源投入時にレジストセンサがシート体を検知した場合にジャム判定手段がジャム発生を判定しないよう、モード切換手段を切り換えておけば、ジャムの誤判定が防止される。手差給送口を滅多に使用しないユーザの場合、電源投入時にレジストセンサがシート体を検知した場合にジャム判定手段がジャム発生を判定するよう、モード切換手段を切り換えておけば、ジャムの発生が確実に判定される。
【００１５】
請求項３記載の発明では、請求項１記載の発明において、電源投入時にレジストセンサがシート体を検知しないとシート給送の開始位置としてシート収納部を選択して、検知すると手差給送口を選択する給送切換手段を設けた。従って、手差給送口にシート体を挿入しない状態で本体電源を投入すると、シート給送の開始位置としてシート収納部が自動的に選択され、手差給送口にシート体を挿入した状態で本体電源を投入すると、シート給送の開始位置として手差給送口が自動的に選択される。
【００１６】
【発明の実施の形態】
本発明の実施の一形態を図１ないし図３を参考に以下に説明する。なお、ここでは図１の左方を前方として前後左右を説明するが、これは説明を簡略化するために便宜的に定義するものであり、これは実際の装置の設置や使用の方向を限定するものではない。
【００１７】
まず、本実施の形態のシート給送装置１は、図１に示すように、画像形成装置であるデジタル複写機２の一部として形成されている。このデジタル複写機２は、その装置本体３の上部にイメージスキャナからなる画像読取部４が設けられており、前記装置本体３の略中央に電子写真方式の画像形成部５が配置されている。前記装置本体３の下部には、シート収納部である給紙カセット６が設けられており、前記装置本体３の後面には、手差給送口７が形成されている。
【００１８】
前記給紙カセット６と前記手差給送口７とは、シート給送の開始位置として一つのシート搬送路８に連通しており、このシート搬送路８が前記画像形成部５に連通している。このシート搬送路８には、複数位置に搬送ローラ９が配置されており、例えば、前記手差給送口７の前方や前記画像形成部５の後方に位置している。この画像形成部５の後方の前記搬送ローラ９の後方には、ソレノイドからなるレジスト機構１０が設けられており、前記手差給送口７の前方の前記搬送ローラ９の後方には、フォトセンサによりレジストセンサ１１が設けられている。前記シート搬送路８は、前記画像形成部５からシート排出部１２に連通しており、このシート排出部１２には排紙センサ１３が設けられている。
【００１９】
前記デジタル複写機２は、図２に示すように、マイクロコンピュータ２０を有しており、このマイクロコンピュータ２０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、状態記憶手段となるＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）２４、等を有している。前記ＣＰＵ２１には、前記画像読取部４、前記画像形成部５、シート給送装置１、等が接続されており、これらの各種動作を前記ＣＰＵ２１が統合制御する。また、前記デジタル複写機２には、各部に電力を供給する本体電源２５が設けられており、この本体電源２５にはオンオフスイッチ２６が接続されている。つまり、オンオフスイッチ２６の操作に従い本体電源２５から各部に対する電力供給が断続される。また、デジタル複写機２は、例えばジャム処理のためにシート搬送路８を開放することができ、この場合にはオンオフスイッチ２６がオンの状態でも本体電源２５から各部への電力供給が遮断されるように構成されている。
【００２０】
前記ＲＯＭ２２には前記ＣＰＵ２１の動作プログラムが格納されており、前記ＣＰＵ２１は、動作プログラムに従って各種のデータ処理を実行することにより各部を動作制御する。このため、本実施の形態のシート給送装置１は、給送制御手段とジャム判定手段と給送切換手段とを有している。
【００２１】
前記給送制御手段は、前記給送ローラ９と前記レジスト機構１０とを動作制御することにより、前記給紙カセット６または前記手差給送口７を開始位置とする給送動作を制御する。例えば、前記給紙カセット６から前記搬送ローラ９によりシート体である印刷用紙２７を給送する場合、この印刷用紙２７を前記レジスト機構１０により一時停止させ、この一時停止を前記レジストセンサ１１の検知から所定時間の経過後に解除する。
【００２２】
また、前記手差給送口７に印刷用紙２７が挿入されて前記レジストセンサ１１により検知された場合は、前記搬送ローラ９を微少時間だけ駆動して印刷用紙２７の先端部を保持し、この状態で給送指令が手動入力されると前記搬送ローラ９を連続的に駆動して給送を開始させる。このように給送される印刷用紙２７も前記レジスト機構１０により一時停止させるが、この一時停止は給送開始から所定時間の経過後に解除する。
【００２３】
これらの動作に必要なプログラムが前記ＲＯＭ２２に格納されており、このプログラムに従って前記ＣＰＵ２１は前記搬送ローラ９や前記レジスト機構１０を動作制御する。
【００２４】
前記ジャム判定手段は、前記レジストセンサ１１や前記排紙センサ１３が不当なタイミングでシート体である印刷用紙２７を検知すると、前記マイクロコンピュータ２０によりジャム発生を判定する。例えば、上述のように印刷用紙２７の給送を前記レジスト機構１０により一時停止させて再開した場合、一時停止の解除から所定時間が経過しても前記レジストセンサ１１が印刷用紙２７を検知し続ける場合には、前記レジストセンサ１１が不当なタイミングで印刷用紙２７を検知していることになるので、前記ジャム判定手段はジャム発生を判定する。ただし、このジャム判定手段は、前記本体電源２５の投入時に前記排紙センサ１３が印刷用紙２７を検知するとジャム発生を判定するが、前記本体電源２５の投入時に前記レジストセンサ１１が印刷用紙２７を検知してもジャム発生を判定しない。
【００２５】
前記給送切換手段は、前記本体電源２５の投入時に前記レジストセンサ１１が印刷用紙２７を検知しないと、用紙給送の開始位置として前記給紙カセット６を選択し、前記本体電源２５の投入時に前記レジストセンサ１１が印刷用紙２７を検知すると、用紙給送の開始位置として前記手差給送口７を選択する。
【００２６】
このような構成において、本実施の形態のシート給送装置１は、給紙カセット６と手差給送口７との両方から印刷用紙２７を給送することができる。給紙カセット６から印刷用紙２７を給送する場合、その印刷用紙２７は搬送ローラ９によりシート搬送路８を順次搬送され、レジストセンサ１１により検知されてからレジスト機構１０により一時停止される。このレジスト機構１０は、レジストセンサ１１の検知から所定時間の経過後に印刷用紙２７の一時停止を解除するので、この印刷用紙２７は調整された適正なタイミングで画像形成部５に給送される。
【００２７】
また、手差給送口７から印刷用紙２７を給送する場合は、印刷用紙２７を手差給送口７に挿入すると、この印刷用紙２７がレジストセンサ１１により検知される。すると、搬送ローラ９が微少に回転駆動されて印刷用紙２７の先端が保持されるので、この状態で給送開始が入力操作されると搬送ローラ９による給送が開始される。このように給送される印刷用紙２７はシート搬送路８を順次搬送されてレジスト機構１０により一時停止されるが、このレジスト機構１０は給送開始から所定時間の経過後に印刷用紙２７の一時停止を解除するので、この印刷用紙２７は調整された適正なタイミングで画像形成部５に給送される。
【００２８】
上述のように給紙カセット６や手差給送口７から画像形成部５に印刷用紙２７が給送されると、この画像形成部５は画像読取部４により読取原稿（図示せず）から読取走査された画像を印刷用紙２７に印刷出力する。このように画像が印刷された印刷用紙２７はシート排出部１２に排出され、排紙センサ１３により検知される。
【００２９】
なお、この排紙センサ１３やレジストセンサ１１が不当なタイミングで印刷用紙２７を検知した場合、マイクロコンピュータ２０がジャム発生を判定し、各部の動作を強制的に停止させるとともにジャム発生をユーザに報知する。例えば、印刷用紙２７の給送を開始していないのにレジストセンサ１１や排紙センサ１３が印刷用紙２７を検知した場合、ジャム発生が判定される。同様に、レジスト機構１０の給送再開から所定時間が経過してもレジストセンサ１１が印刷用紙２７を検知し続ける場合や、画像形成部５の動作完了から所定時間が経過しても排紙センサ１３が印刷用紙２７を検知しない場合にも、ジャム発生が判定される。
【００３０】
ここで、シート給送装置１の起動時の処理動作を図３を参考に以下に説明する。オンオフスイッチ２６の手動操作により本体電源２５を投入するとイニシャライズ処理が開始され（ステップＳ１）、排紙センサ１３とレジストセンサ１１との検知状態がチェックされる（ステップＳ２）。ここで排紙センサ１３がオン状態の場合には、用紙給送が実行されていないのに排紙センサ１３が印刷用紙２７を検知したことになるので（ステップＳ３）、マイクロコンピュータ２０によりジャム発生が判定される（ステップＳ４）。
【００３１】
つぎに、レジストセンサ１１のチェックが実行されるが、これがオン状態でもマイクロコンピュータ２０はジャム発生を判定しない。上述のように、本体電源２５の投入時にレジストセンサ１１が印刷用紙２７を検知することは本来ならジャム発生の判定要因となるが、本実施の形態のシート給送装置１では、本体電源２５の投入時にレジストセンサ１１が印刷用紙２７を検知すると（ステップＳ５）、手差給送口７に印刷用紙２７が挿入されていると判定される。
【００３２】
そこで、電源投入時にレジストセンサ１１が印刷用紙２７を検知しない場合は、用紙給送の開始位置として給紙カセット６が選択され（ステップＳ６）、電源投入時にレジストセンサ１１が印刷用紙２７を検知した場合は、用紙給送の開始位置として手差給送口７が選択される（ステップＳ７）。このため、手差給送を要望するユーザが、手差給送口７に印刷用紙２７を挿入した状態で本体電源２５を投入しても、ジャム発生が誤判定されることがない。
【００３３】
また、例えば、手差給紙口７に印刷用紙２７を挿入したままジャム処理を行った場合にも、ジャム発生の誤判定が行われない。つまり、手差給紙口７に印刷用紙２７を挿入した状態でジャム処理が必要になってジャム処理を実行すると、シート搬送路８の開放によって本体電源２５から各部に対する電力供給が遮断され、ジャム処理後にシート搬送路８を正規の状態に戻すと各部に対する電力供給が復帰して電源投入状態になる。この場合、手差給紙口７に印刷用紙２７が挿入されたままであれば、ステップＳ５の処理においてレジストセンサ１１がオンであると判定される。これにより、ステップ７で、用紙給送の開始位置として手差給紙口７が選択され、ジャム発生と誤判定されることがない。
【００３４】
しかも、本実施の形態のシート給送装置１は、電源投入時に印刷用紙２７を手差給送口７に挿入していれば、この手差給送口７が用紙給送の開始位置として自動的に選択され、印刷用紙２７を手差給送口７に挿入していなければ、給紙カセット６が自動的に選択されるので、ユーザの操作を要することなく用紙給送の開始位置が適正に設定される。
【００３５】
なお、上述のように電源投入時のレジストセンサ１１の検知結果をジャムの判定に利用しないと、実際にジャムが発生している場合でも給送動作が実行されることになる。これが問題となる場合には、図４に示すように、シート給送装置１の動作モードを切り換えるモード切換手段（ステップＳ８）を設け、本体電源２５の投入時にレジストセンサ１１が印刷用紙２７を検知した場合のジャム発生の判定の有無を切り換えることが好ましい。
【００３６】
より具体的には、マイクロコンピュータ２０のＥＥＰＲＯＭ２４に動作モードの設定フラグを設け、この設定フラグを所望の入力操作により切り換えておく。初期設定の実行時にレジストセンサ１１がオン状態ならばＣＰＵ２１が設定フラグを確認し、この設定フラグの切り換え状態に対応してジャム発生の判定（ステップＳ４）か手差給送の開始（ステップＳ９）かを実行する（ステップＳ８）。
【００３７】
上述のようにジャム発生の判定の有無を切換自在とすると、ユーザの使用状況に対応してシート給送装置１に適正な動作を実行させることができる。つまり、手差給送口７を頻繁に使用するユーザの場合、電源投入時にレジストセンサ１１が印刷用紙２７を検知してもジャム発生が判定されないよう動作モードを切り換えておけば（ステップＳ８のＮ）、手差給送を迅速に開始することができる（ステップＳ９参照）。一方、手差給送口７を滅多に使用しないユーザの場合、電源投入時にレジストセンサ１１が印刷用紙２７を検知するとジャム発生が判定されるよう動作モードを切り換えておけば（ステップＳ８のＹ）、ジャムの発生が確実に判定される（ステップＳ４参照）。
【００３８】
なお、一般的にジャムが発生した場合は本体電源２５を遮断して処理作業を実行し、作業完了後に本体電源２５を投入する。あるいは、ジャム処理のためのシート搬送路８の開放によって本体電源２５から各部に対する電力供給が遮断され、ジャム処理終了後にシート搬送路８を正規の状態に戻すことにより本体電源２５から各部に対する電力供給が復帰する。これらの場合、ジャム処理が完全なら問題ないが、作業が不完全でジャムの印刷用紙２７がシート搬送路８に残存することがある。換言すると、レジストセンサ１１がジャムを検知した状態で本体電源２５が遮断され、次の電源投入時にレジストセンサ１１が印刷用紙２７を検知した場合には、これは手差給送でなくジャムである可能性が高い。
【００３９】
これが問題となる場合には、本体電源２５の遮断後も記憶内容が維持されるＥＥＰＲＯＭ２４にジャム発生の判定状態をＣＰＵ２１により格納させ、このＣＰＵ２１の処理動作による判定制御手段により、ＥＥＰＲＯＭ２４の記憶内容に従って電源投入時のジャム判定を制御させることが好ましい。つまり、図５に示すように、本体電源２５の投入時にレジストセンサ１１が印刷用紙２７を検知すると（ステップＳ５のＹ）、ＥＥＰＲＯＭ２４の記憶内容をＣＰＵ２１により読み出し（ステップＳ１０）、電源遮断時のジャム発生が記憶されているなら（ステップＳ１０のＹ）電源投入時のジャム発生を判定して（ステップＳ４）手差給送を中止し、電源遮断時のジャム発生が記憶されていないなら（ステップＳ１０のＮ）電源投入時のジャム発生を判定せず手差給送を開始する（ステップＳ１１）。
【００４０】
この場合、前述のようにジャム処理のために本体電源２５を遮断／投入した場合には、電源投入時のレジストセンサ１１の用紙検知に基づいて、ジャム処理が不完全だった場合にジャム発生が判定される（ステップＳ８のＹ）。ジャムが発生していない状態で本体電源２５を遮断／投入しても、電源投入時のレジストセンサ１１の用紙検知に従いジャム発生が判定されないので、例えば、印刷用紙２７を手差給送口７に挿入したまま本体電源２５を遮断／投入してもジャム発生が誤判定されない（ステップＳ５のＹ、ステップＳ１０のＮ参照）。
【００４１】
さらに、図６に示すように、上述した処理動作の有無をモード切換手段（図４のステップＳ８に相当するステップＳ１２）により切換自在とし、ユーザの要望に対応した動作をシート給送装置１に実行させることも可能である。この場合、電源投入時にレジストセンサ１１が印刷用紙２７を検知し（ステップＳ５のＹ）、電源遮断時にジャム発生が判定されていても（ステップＳ１０のＹ）、ジャム発生が判定されないようにできるので（ステップＳ１２のＮ）、ジャム処理を確実に実行すれば手差給送を迅速に開始することができる。
【００４２】
【発明の効果】
請求項１記載の発明は、オンオフスイッチを備えて各部に電力を供給する本体電源を設け、多数のシート体が収納されるシート収納部とシート体が手差給送される手差給送口とを有し、シート収納部と手差給送口とが選択的にシート給送の開始位置となるシート搬送路を有し、このシート搬送路に給送されるシート体を一時停止させるレジスト機構を設け、このレジスト機構に給送されるシート体を検知するレジストセンサを手差給送口に挿入されたシート体を検知する位置に配置し、シート収納部に収納されたシート体の給送時にはシート体がレジストセンサに検知されると所定時間の経過後にレジスト機構を動作させるとともに、手差給送口に挿入されてレジストセンサに検知されたシート体の給送時には給送開始から所定時間の経過後にレジスト機構を動作させる給送制御手段を設け、本体電源の投入時以外の不当なタイミングでレジストセンサがシート体を検知するとジャム発生を判定するジャム判定手段を設け、本体電源の投入時にレジストセンサがシート体を検知すると手差給送口に印刷用紙が挿入されていると判定するようにしたことにより、手差給送口にシート体が挿入された状態でシート給送装置が起動されても、ジャム判定手段がジャム発生を誤判定しないので、手差給送を迅速に開始することができる。
【００４３】
請求項２記載の発明では、電源投入時にレジストセンサがシート体を検知した場合のジャム判定手段によるジャム発生の判定の有無を切り換えるモード切換手段を設けたことにより、手差給送の迅速さとジャム判定の確度とを選択的に優先させることができ、ユーザの要望に対応した動作を実行することができる。
【００４６】
請求項３記載の発明では、電源投入時にレジストセンサがシート体を検知しないとシート給送の開始位置としてシート収納部を選択して、検知すると手差給送口を選択する給送切換手段を設けたことにより、手差給送口にシート体を挿入しない状態で本体電源を投入すると、シート給送の開始位置としてシート収納部が自動的に選択され、手差給送口にシート体を挿入した状態で本体電源を投入すると、シート給送の開始位置として手差給送口が自動的に選択されるので、ユーザの切換操作を要することなくシート体の給送方式を適正に迅速に切り換えることができる。
【図面の簡単な説明】
【図１】本発明の実施の一形態のシート給送装置を一部とするデジタル複写機の内部構造を示す縦断側面図である。
【図２】デジタル複写機の回路構造を示すブロック図である。
【図３】シート給送装置の電源投入時の処理動作を示すフローチャートである。
【図４】第一の変形例の処理動作を示すフローチャートである。
【図５】第二の変形例の処理動作を示すフローチャートである。
【図６】第三の変形例の処理動作を示すフローチャートである。
【符号の説明】
１    シート給送装置
６    シート収納部
７    手差給送口
８    シート搬送路
１０    レジスト機構
１１    レジストセンサ
２４    状態記憶手段
２５    本体電源
２６    オンオフスイッチ
２７    シート体
【図１】
0003604056.tif 000002
【図２】
0003604056.tif 000003
【図３】
0003604056.tif 000004
【図４】
0003604056.tif 000005
【図５】
0003604056.tif 000006
【図６】
0003604056.tif 000007